(57)【要約】【課題】  構造の簡素化及び製造コストの低減が図る。【解決手段】  本体２前面と扉４の何れか一方の上下左右に設けられたヒンジピン１３と、他方に設けられ各ヒンジピン１３に正面側から係合して左右方向への移動を規制する第１係合溝１４と、左右方向にスライド可能に設けられ、中立位置で各ヒンジピン１３に係合して前後方向への移動を規制し、左右何れか一側へスライドされることで他側のヒンジピン１３との係合が解除される第２係合溝１５を両端部に有するスライダ１６と、第２係合溝１５の縁部に設けられ扉４の左右何れか一側部を前方へ引くことで当該一側部のヒンジピン１３の周面１３ａに案内されて当該ヒンジピン１３との係合を解除すべくスライダ１６を他側へスライドさせ、他側のヒンジピン１３を支点に扉４を回動可能とする突起部１７と、扉開放直後にスライダ１６をロックし扉閉鎖時にロックが解除されるロック機構１８とを備える。【選択図】          図１
2005090190.tif 000002
【特許請求の範囲】
【請求項１】
本体の前面に扉を左右どちらからも開閉可能に支持する扉開閉機構であって、前記本体前面と前記扉の何れか一方の上下左右に設けられたヒンジピンと、他方の上下左右に設けられ前記各ヒンジピンに正面側から係合して左右方向への移動を規制する第１係合溝と、左右の第１係合溝に近接して左右方向にスライド可能に設けられ、中立位置で前記各ヒンジピンに係合して前後方向への移動を規制し、左右何れか一側へスライドされることで他側のヒンジピンとの係合が解除される第２係合溝を両端部に有するスライダと、前記第２係合溝の縁部に設けられ扉の左右何れか一側部を前方へ引くことで当該一側部のヒンジピンの周面に案内されて当該ヒンジピンとの係合を解除すべくスライダを他側へスライドさせ、他側のヒンジピンを支点に扉を回動可能とする突起部と、扉開放直後にスライダをロックし扉閉鎖時にロックが解除されるロック機構とを備えたことを特徴とする扉開閉機構。
【請求項２】
本体の前面に鏡を左右どちらからも回動可能に備えた化粧台であって、前記本体前面と前記鏡の何れか一方の上下左右に設けられたヒンジピンと、他方の上下左右に設けられ前記各ヒンジピンに正面側から係合して左右方向への移動を規制する第１係合溝と、左右の第１係合溝に近接して左右方向へスライド可能に設けられ、中立位置で前記各ヒンジピンに係合して前後方向への移動を規制し、左右何れか一側へスライドされることで他側のヒンジピンとの係合が解除される第２係合溝を両端部に有するスライダと、前記第２係合溝の縁部に設けられ鏡の左右何れか一側部を前方へ引くことで当該一側部のヒンジピンの周面に案内されて当該ヒンジピンとの係合を解除すべくスライダを他側へスライドさせ、他側のヒンジピンを支点に鏡を回動可能とする突起部と、鏡の回動直後にスライダをロックし復帰時にロックが解除されるロック機構とを備えたことを特徴とする化粧台。
【発明の詳細な説明】
【技術分野】
【０００１】
本発明は、扉を左右どちらからでも開閉可能とした扉開閉機構及びその機構を鏡の回動に利用した化粧台に関する。
【背景技術】
【０００２】
従来のこの種の装置としては、例えば特許文献１に記載されているような回動式鏡（前者）や特許文献２に記載されているような扉開閉機構（後者）が知られている。前者の回動式鏡は、本体と、この本体の前面に設けられた鏡とからなり、前記本体は左右に設けられた係合ピンを備え、前記鏡は前記各係合ピンにそれぞれ係脱可能に係合する係合部材を左右に備え、これら各係合部材が前記係合ピンに係合した状態で、前記鏡は前記本体前面に保持されると共に、一側の前記係合部材が前記係合ピンから外れ、他側の前記係合部材が前記係合ピンに係合した状態では、当該他側の係合部材が係合する係合ピンを軸として前記鏡が前記本体に回動自在に枢支されるように構成されている。前記係合部材は、鏡の後方に向けて開放する進入部が構成された左右一対の係合片からなり、前記進入部より両係合片間に係合ピンが進入した状態で両係合片が係合ピンを左右から挟持し、その弾性によって係合ピンに係脱可能で且つ回動自在に係合するように構成されている。
【０００３】
一方、後者の扉開閉機構は、扉側又は扉が取付けられる本体側の左右両端部に扉の中心線に関して対称に設けられた一対のスライドカム部材と、前記本体側又は扉側で前記各スライドカム部材に対応する部位に対称に設けられた一対のロックカム部材と、該ロックカム部材に設けられた軸孔を貫通する状態で取付けられたヒンジピンとを備え、前記スライドカム部材は前記ヒンジピンと水平方向で係脱自在な第１溝カムと、第１溝カムと連続し該第１溝カムに案内されたヒンジピンとの係止を扉閉止時に行う第１係止位置から更に扉開成時にスライドカム部材の回動軸となる第２係止位置まで移動可能な第２溝カムとを有すると共に、前記第２溝カムの外周に設けられた第１カム突起を具備しており、前記ロックカム部材は第１係止位置で前記第１カム突起とロック関係になる第２カム突起を具備している。
【０００４】
【特許文献１】実用新案登録第３０６９６０３号公報
【０００５】
【特許文献２】特開平９−３０３９４２号公報
【発明の開示】
【発明が解決しようとする課題】
【０００６】
しかしながら、前者の回動式鏡においては、構造が簡単であるが、一対の係合片が弾性によって係合ピンに係脱可能で且つ回動自在に係合するように構成されているに過ぎないため、係合ピンに対する係合片の係合が外れて鏡が脱落する恐れがある。後者の扉開閉機構においては、扉が脱落する恐れはないが、構造が複雑で、製造コストの上昇を招き易い。
【０００７】
本発明は、上記事情を考慮してなされたものであり、構造の簡素化及び製造コストの低減が図れる扉開閉機構及び化粧台を提供することを目的とする。
【課題を解決するための手段】
【０００８】
本発明のうち、請求項１の発明は、本体の前面に扉を左右どちらからも開閉可能に支持する扉開閉機構であって、前記本体前面と前記扉の何れか一方の上下左右に設けられたヒンジピンと、他方の上下左右に設けられ前記各ヒンジピンに正面側から係合して左右方向への移動を規制する第１係合溝と、左右の第１係合溝に近接して左右方向にスライド可能に設けられ、中立位置で前記各ヒンジピンに係合して前後方向への移動を規制し、左右何れか一側へスライドされることで他側のヒンジピンとの係合が解除される第２係合溝を両端部に有するスライダと、前記第２係合溝の縁部に設けられ扉の左右何れか一側部を前方へ引くことで当該一側部のヒンジピンの周面に案内されて当該ヒンジピンとの係合を解除すべくスライダを他側へスライドさせ、他側のヒンジピンを支点に扉を回動可能とする突起部と、扉開放直後にスライダをロックし扉閉鎖時にロックが解除されるロック機構とを備えたことを特徴とする。
【０００９】
請求項２の発明は、本体の前面に鏡を左右どちらからも回動可能に備えた化粧台であって、前記本体前面と前記鏡の何れか一方の上下左右に設けられたヒンジピンと、他方の上下左右に設けられ前記各ヒンジピンに正面側から係合して左右方向への移動を規制する第１係合溝と、左右の第１係合溝に近接して左右方向へスライド可能に設けられ、中立位置で前記各ヒンジピンに係合して前後方向への移動を規制し、左右何れか一側へスライドされることで他側のヒンジピンとの係合が解除される第２係合溝を両端部に有するスライダと、前記第２係合溝の縁部に設けられ鏡の左右何れか一側部を前方へ引くことで当該一側部のヒンジピンの周面に案内されて当該ヒンジピンとの係合を解除すべくスライダを他側へスライドさせ、他側のヒンジピンを支点に鏡を回動可能とする突起部と、鏡の回動直後にスライダをロックし復帰時にロックが解除されるロック機構とを備えたことを特徴とする。
【発明の効果】
【００１０】
本発明によれば、次のような効果を奏することができる。
【００１１】
請求項１の発明によれば、本体の前面に扉を左右どちらからも開閉可能に支持する扉開閉機構であって、前記本体前面と前記扉の何れか一方の上下左右に設けられたヒンジピンと、他方の上下左右に設けられ前記各ヒンジピンに正面側から係合して左右方向への移動を規制する第１係合溝と、左右の第１係合溝に近接して左右方向にスライド可能に設けられ、中立位置で前記各ヒンジピンに係合して前後方向への移動を規制し、左右何れか一側へスライドされることで他側のヒンジピンとの係合が解除される第２係合溝を両端部に有するスライダと、前記第２係合溝の縁部に設けられ扉の左右何れか一側部を前方へ引くことで当該一側部のヒンジピンの周面に案内されて当該ヒンジピンとの係合を解除すべくスライダを他側へスライドさせ、他側のヒンジピンを支点に扉を回動可能とする突起部と、扉開放直後にスライダをロックし扉閉鎖時にロックが解除されるロック機構とを備えているため、構造の簡素化及び製造コストの低減が図れる。
【００１２】
請求項２の発明によれば、本体の前面に鏡を左右どちらからも回動可能に備えた化粧台であって、前記本体前面と前記鏡の何れか一方の上下左右に設けられたヒンジピンと、他方の上下左右に設けられ前記各ヒンジピンに正面側から係合して左右方向への移動を規制する第１係合溝と、左右の第１係合溝に近接して左右方向へスライド可能に設けられ、中立位置で前記各ヒンジピンに係合して前後方向への移動を規制し、左右何れか一側へスライドされることで他側のヒンジピンとの係合が解除される第２係合溝を両端部に有するスライダと、前記第２係合溝の縁部に設けられ鏡の左右何れか一側部を前方へ引くことで当該一側部のヒンジピンの周面に案内されて当該ヒンジピンとの係合を解除すべくスライダを他側へスライドさせ、他側のヒンジピンを支点に鏡を回動可能とする突起部と、鏡の回動直後にスライダをロックし復帰時にロックが解除されるロック機構とを備えているため、構造の簡素化及び製造コストの低減が図れる。
【発明を実施するための最良の形態】
【００１３】
以下に、本発明を実施するための最良の形態について、添付図面を基に詳述する。図１は本発明の実施の形態である化粧台を概略的に示す正面図、図２は図１のＡ−Ａ線拡大断面図、図３の（ａ）は図１の化粧台の横断面図、（ｂ）は同化粧台の縦断面図である。図４は扉開閉機構を概略的に示す図で、（ａ）は閉鎖時の横断面図、（ｂ）は開放時の横断面図、（ｃ）は要部横断面図、図５は同扉開閉機構のヒンジ部材を概略的に示す図で、（ａ）は平面図、（ｂ）は正面図、（ｃ）は側面図、図６は同扉開閉機構のスライダケースを概略的に示す図で、（ａ）は平面図、（ｂ）は背面図、（ｃ）は底面図、（ｄ）は（ａ）のＢ−Ｂ線断面図、図７はスライダ押えを概略的に示す平面図である。図８はスライダを概略的に示す図で、（ａ）は平面図、（ｂ）は正面図、図９はロック機構を概略的に示す図で、（ａ）は解除時の正面図、（ｂ）はロック時の正面図、（ｃ）は平面図、図１０はロック機構の動作を説明する図で、（ａ）は解除状態時の横断面図、（ｂ）はロック時の横断面図である。
【００１４】
図１ないし図３において、１は化粧台で、この化粧台１は、本体２と、この本体２の前面に設けられた中央の主鏡３と、両側の副鏡４とを備えた三面鏡として構成されている。本体２の前面部には上部に蛍光灯５が設けられると共に、この蛍光灯５よりも下方に前面が開放された中央の収納部６と、両側の収納部７とが設けられ、これらの収納部６，７には棚ないしトレイ８等が適宜設けられている。
【００１５】
前記主鏡３は中央の収納部６を覆う開閉可能な扉として本体２の前面に蝶番９を介して片開き式に回動可能に設けられている。前記副鏡４は両側の各収納部７を開閉可能に覆う扉として本体２の前面に扉開閉機構１０を介して左右どちらからも回動可能に設けられている。例えば、両側の副鏡４は内側に向くように開くことにより三面鏡として用いることができ、外側に向くように開くことにより収納部７への物品の出し入れができるようなっている。なお、図１において、１１は拡大鏡、１２はガードバーである。
【００１６】
前記化粧台１ないし扉開閉機構１０は、図４にも示すように前記本体２前面の各副鏡４の四隅に対応して上下左右に設けられたヒンジピン１３と、前記副鏡４の四隅である上下左右に設けられ前記各ヒンジピン１３に正面側から係合して左右方向への移動を規制する第１係合溝１４と、副鏡４の上下に左右の第１係合溝１４に近接して左右方向にスライド可能に設けられ、中立位置で前記各ヒンジピン１３に係合して副鏡４の前後方向への移動を規制し、左右何れか一側へスライドされることで他側のヒンジピン１３との係合が解除される第２係合溝１５を両端部に有するスライダ１６と、前記第２係合溝１５の縁部に設けられ副鏡４の左右何れか一側部を前方へ引くことで当該一側部のヒンジピン１３の周面１３ａに案内されて当該ヒンジピン１３との係合を解除すべくスライダ１６を他側へスライドさせ、他側のヒンジピン１３を支点に副鏡４を回動可能とする突起部１７と、扉開放直後（副鏡回動直後）にスライダ１６をロックし扉閉鎖時（副鏡復帰時）にロックが解除されるロック機構１８（図９参照）とを備えている。
【００１７】
前記左右のヒンジピン１３は、図５にも示すように横断面Ｌ字状の横長の金属製ヒンジ部材１９における水平部１９ａの両端部に起立して設けられている。前記水平部１９ａの中央部には後述するロック機構１８の解除用突条部２０が前後方向に設けられている。ヒンジ部材１９の垂直部１９ｂにはこれを本体２に固着具例えばネジ（ビス）で固定するための孔部２１が設けられている。副鏡４の上部に配置されるヒンジ部材１９は上下を逆にして、すなわちヒンジピン１３が下方を向くようにして本体２に固定される。
【００１８】
前記スライダ１６は下面が開放されたスライダケース（ミラーエッジともいう）２２内にスライド可能に収容され、このスライドケース２２の下面には蓋であるスライダ押え２３が取付けられる。スライダケース２２は、図６にも示すように下面が開放された横長の容器状に形成され、内部には左右一対の中空軸状の突軸部２４が突設されている。前記突軸部２４に前記スライダ押え２３がネジで固定される。スライダケース２２の背面部（ヒンジ部材１９と対向する面）にはヒンジピン１３との干渉を避けるための切欠部２５と、前記解除用突条部２０との干渉を避けるための切欠部２６とが形成されている。スライダケース２２は扉である副鏡４の上部と下部にそれぞれ取付けられる。スライダケース２２の上面部には扉である副鏡４の上下の縁部を固定するための固定部（図示省略）が設けられている。
【００１９】
前記スライダ押え２３は、図７にも示すように横長の板状に形成され、その両端部にはヒンジピン１３に臨んで開口した平面Ｕ字状の第１係合溝１４が形成されている。また、スライダ押え２３の両第１係合溝１４より内側位置にはスライダ押え２３をスライダケース２２の突軸部２４にネジで固定するための孔部２７が設けられている。また、スライダ押え２３の中央部には前記解除用突条部２０との干渉を避けるための切欠部２８が形成されている。左右の第１係合溝１４，１４の中心間距離と左右のヒンジピン１３，１３の中心間距離は等しい。
【００２０】
前記スライダ１６は、図８にも示すように横長の板状に形成され、その両端部にはヒンジピン１３に臨んで開口した平面略Ｊ字状の第２係合溝１５が形成されている。すなわち、左右の第２係合溝１５はヒンジピン１３に臨む面側から内側へ屈曲して形成され、中立位置の時に左右のヒンジピン１３が左右の第２係合溝１５の平面略Ｃ字状の奥部側に位置され、副鏡４が閉鎖状態（閉止状態）に保持されるようになっている。前記第２係合溝１４の内側縁部にヒンジピン１３を奥部側に入り込んだ状態に係止する前記突起部１７が形成されている。この中立位置では、スライダ１６が左右何れにもスライドできるように左右の第２係合溝１５の奥部にはヒンジピン１３が更に入り込めるスペース１５ａが確保されている。スライダ１６の左右の突起部１７,１７間の距離は、左右のヒンジピン１３，１３の中心間距離と左右のヒンジピン１３,１３の内側間距離との中間にある。
【００２１】
また、スライダ１６が中立位置にあるとき、左右の突起部１７は左右の各ヒンジピン１３の中心よりも若干内側に位置されており、例えば図４の（ｂ）に示すように扉である副鏡４の左右何れか一側部例えば右側部（または左側部）に手を引掛けて前方（手前）に引くと、当該一側部のヒンジピン１３の周面１３ａに沿ってスライダ１６の突起部１７が移動し、当該ヒンジピン１３との係合を解除すべくスライダ１６を他側（左側）へスライドさせ、他側のヒンジピン１３に第２係合溝１５が深く係合し、他側のヒンジピン１３を支点に副鏡４が回動可能となるように構成されている。
【００２２】
第２係合溝１５の外側の縁部１５ｂは、スライダ１６が一方例えば左側のヒンジピン１３に係合するようにスライドした状態（すなわち副鏡が左のヒンジピンを支点に回動可能に開いた状態）において、副鏡４を閉めようとする場合に、他方例えば右側のヒンジピン１３を右側の第２係合溝１５内に円滑に入り易くするために当該ヒンジピン１３に臨んで拡開して形成されている。また、前記突起部１７にもヒンジピン１３に臨んで拡開したガイド面１７ａが形成されている。副鏡４を閉めると、例えば右側のヒンジピン１３が第２係合溝１５の奥部側に入り込み、このときのヒンジピン１３に対するスライダ１６の相対的移動によりスライダ１６が自動的に中立位置に復帰される。前記第２係合溝１５の外側縁部１５ｂの奥側には、スライダ１６を中立位置に位置決めして安定した状態に保持するために左右の各ヒンジピン１３の外側箇所が軽く引っ掛かる段部２９が形成されていることが好ましい。
【００２３】
スライダ１６には前記スライダケース２２内の突軸部２４にスライド可能に係合する長穴３０が設けられている。また、スライダ１６の下面略中央部には、図８の（ｂ）ないし図９にも示すようにスライド移動ストロークよりも広い範囲で凹部３１が形成され、この凹部３１内にはロック機構１８の係止部材３２を左右何れかの方向から係止してスライダ１６を左右何れかにスライドした状態にロックするための突部３３が突設されている。前記スライダケース２２内にはスライダ１６の凹部３１の近傍に位置させてロック機構１８の係止部材３２が支持ピン３４を介して揺動可能に設けられている。支持ピン３４と係止部材３２は一体的に形成されていても良い。係止部材３２の一端が係止部３２ａとされ、他端が解除部３２ｂとされている。スライダ押え２３には係止部３２ａをスライダ１６の凹部３１に押圧付勢する付勢手段である板バネ３５が設けられている。スライダ押え２３には係止部材３２や板バネ３５を収容する凹部３６が形成され、この凹部３６と連通するように形成された前述の切欠部２８に解除部３２ｂが位置されている。
【００２４】
スライダ１６が中立位置にあるとき、係止部材３２の係止部３２ａは図９の（ａ）に示すように突部３３の先端部に当接しており、例えば同図（ｂ）に示すようにスライダ１６が左（または右）にスライドすると係止部３２ａが突部３３の右端（または左端）に係合してスライダ１６が勝手に右（または左）にスライドしないようにロックするようになっている。また、このロック状態では図１０の（ｂ）に示すように扉である副鏡４は、その一側を手前に引いてヒンジ部材１９から離反するように開き、他側のヒンジピン１３を支点として回動可能（開閉可能）な状態にある。この状態のときにスライダ１６が勝手にスライドすることにより当該ヒンジピン１３から離脱して副鏡４が脱落するのを前記ロック機構１８によって確実に防止することができる。
【００２５】
一方、同図（ａ）に示すように副鏡４を閉鎖位置に押し戻すと、スライダ押え２３の切欠部２８から露出している係止部材３２の解除部３２ｂがヒンジ部材１９に設けられている解除用突条部２０に乗り上げることにより、係止部材３２の係止部３２ａが板バネ３５の付勢力に抗してスライダ１６の凹部３１から離反され、ロックが解除されるようになっている。なお、前記解除用突条部２０の先端部または係止部材３２の解除部３２ｂには、解除部３２ｂが解除用突条部２０に円滑に乗り上げられるようにテーパー３７が設けられていることが好ましい。
【００２６】
なお、ヒンジ部材１９には意匠性の向上を図るために図２に示すように合成樹脂製のカバー材であるヒンジカバー３８が取付けられていても良く、その場合、解除用突条部２０はヒンジ部材１９でなくヒンジカバー３８に設けられていることが好ましい。扉ないし鏡（副鏡）４をスライダケース２２に固定するために、例えば副鏡４の裏面に補強用の裏板３９を両面粘着テープ等により貼着し、裏板３９の上下端部を副鏡４の上下端部より突出させ、スライダケース３９に固定部として副鏡４及び裏板３９の上下端部を係合させる係合溝４０，４１を設け、裏板３９の上下端部をスライダケース２２にネジ４２で固定するようにしても良い。
【００２７】
以上の構成からなる扉開閉機構１０ないし該扉開閉機構１０を利用した化粧台１によれば、本体２の前面に扉（副鏡）４を左右どちらからも開閉可能に支持し、前記本体２前面の上下左右に設けられたヒンジピン１３と、前記扉（副鏡）４の上下左右に設けられ前記各ヒンジピン１３に正面側から係合して左右方向への移動を規制する第１係合溝１４と、扉（副鏡）４の上下に左右の第１係合溝１４に近接して左右方向にスライド可能に設けられ、中立位置で前記各ヒンジピン１３に係合して前後方向への移動を規制し、左右何れか一側へスライドされることで他側のヒンジピン１３との係合が解除される第２係合溝１５を両端部に有するスライダ１６と、前記第２係合溝１５の縁部に設けられ扉（副鏡）４の左右何れか一側部を前方へ引くことで当該一側部のヒンジピン１３の周面１３ａに案内されて当該ヒンジピン１３との係合を解除すべくスライダ１６を他側へスライドさせ、他側のヒンジピン１３を支点に扉（副鏡）４を回動可能とする突起部１７と、扉開放直後（副鏡の回動直後）にスライダ１６をロックし扉閉鎖時（副鏡の復帰時）にロックが解除されるロック機構１８とを備えているため、簡単な構造で扉（副鏡）４の確実な左右開き動作を保証することができ、構造の簡素化及び製造コストの低減が図れる。
【００２８】
また、前記実施の形態の化粧台１においては、本体２に前方に開口した収納部６，７を設け、その収納部６，７を覆うように本体２の前面部に中央の主鏡３及び左右の副鏡４を配置し、主鏡３は蝶番９を介して片開き可能とし、副鏡４は扉開閉機構１０により左右開き可能としたので、副鏡４を適宜角度に回動させることにより三面鏡として使用することができることは勿論、主鏡３や副鏡４を扉を開けるように開くことができて収納部６，７への洗面用具等の物品の出し入れを容易に行うことができる。
【００２９】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明に係る化粧台は、洗面化粧台等にも適用することが可能である。本発明に係る扉開閉機構は、冷蔵庫の扉等にも適用することが可能である。前記実施の形態では、本体前面の上下左右にヒンジピンを設け、扉（鏡）の上下左右に前記各ヒンジピンに正面側から係合して左右方向への移動を規制する第１係合溝を設けているが、扉（鏡）の上下左右にヒンジピンを設け、本体前面の上下左右に前記各ヒンジピンに正面側から係合して左右方向への移動を規制する第１係合溝を設けてもよい。
【図面の簡単な説明】
【００３０】
【図１】本発明の実施の形態である化粧台を概略的に示す正面図である。
【図２】図１のＡ−Ａ線拡大断面図である。
【図３】（ａ）は図１の化粧台の横断面図、（ｂ）は同化粧台の縦断面図である。
【図４】扉開閉機構を概略的に示す図で、（ａ）は閉鎖時の横断面図、（ｂ）は開放時の横断面図、（ｃ）は要部横断面図である。
【図５】同扉開閉機構のヒンジ部材を概略的に示す図で、（ａ）は平面図、（ｂ）は正面図、（ｃ）は側面図である。
【図６】同扉開閉機構のスライダケースを概略的に示す図で、（ａ）は平面図、（ｂ）は背面図、（ｃ）は底面図、（ｄ）は（ａ）のＢ−Ｂ線断面図である。
【図７】スライダ押えを概略的に示す平面図である。
【図８】スライダを概略的に示す図で、（ａ）は平面図、（ｂ）は正面図である。
【図９】ロック機構を概略的に示す図で、（ａ）は解除時の正面図、（ｂ）はロック時の正面図、（ｃ）は平面図である。
【図１０】ロック機構の動作を説明する図で、（ａ）は解除状態時の横断面図、（ｂ）はロック時の横断面図である。
【符号の説明】
【００３１】
１  化粧台
２  本体
４  副鏡（扉、鏡）
１０  扉開閉機構
１３  ヒンジピン
１３ａ  周面
１４  第１係合溝
１５  第２係合溝
１６  スライダ
１７  突起部
１８  ロック機構
【図１】
2005090190.tif 000003
【図２】
2005090190.tif 000004
【図３】
2005090190.tif 000005
【図４】
2005090190.tif 000006
【図５】
2005090190.tif 000007
【図６】
2005090190.tif 000008
【図７】
2005090190.tif 000009
【図８】
2005090190.tif 000010
【図９】
2005090190.tif 000011
【図１０】
2005090190.tif 000012